(57)【要約】【課題】発信者に関する情報を優先するものから着信者に通知する。【解決手段】検索要求部２０１は、発信側の電話機の電話番号が着信側の電話機に対応する電話帳データベースに登録されていない場合に、その電話番号を指定して当該電話番号に基づいた検索を検索部２０２に要求する。検索部２０２は、検索要求部２０１により指定された電話番号をキーワードにしてインターネット４００において検索を行う。抽出部２０３は、検索要求部２０１による要求に応じて検索部２０２により検索された結果を示す情報群から、或る優先度に基づいて情報を抽出する。通知部２０４は、抽出部２０３により抽出された情報を着信側の電話機のユーザに通知する。【選択図】図４
2020017907.tif 000002
【特許請求の範囲】
【請求項１】
発信側の電話機の電話番号が着信側の電話機に対応する電話帳データベースに登録されていない場合に、当該電話番号に基づいた検索を要求する検索要求部と、
前記検索要求部による要求に応じた検索結果を示す情報群から、優先度に基づいて情報を抽出する抽出部と、
前記抽出部により抽出された情報を前記着信側の電話機のユーザに通知する通知部と
を備える情報処理装置。
【請求項２】
前記優先度は、前記情報の属性に基づいて決められている
ことを特徴とする請求項１記載の情報処理装置。
【請求項３】
前記優先度は、前記情報がヘッダデータ又はメタデータであることに基づいて決められている
ことを特徴とする請求項２記載の情報処理装置。
【請求項４】
前記優先度は、前記情報の出現頻度に基づいて決められている
ことを特徴とする請求項１記載の情報処理装置。
【請求項５】
前記情報群のうち、特定の情報については前記出現頻度に関わらずに優先度が決められている
ことを特徴とする請求項４記載の情報処理装置。
【請求項６】
前記優先度は、前記情報に対する修飾に基づいて決められている
ことを特徴とする請求項１記載の情報処理装置。
【請求項７】
前記優先度は、前記情報の出現位置に基づいて決められている
ことを特徴とする請求項１記載の情報処理装置。
【請求項８】
前記検索要求部は、発信側の電話機からの着信時及び発信側の電話機からの着信履歴の表示時において、前記検索を要求し、
前記抽出部は、発信側の電話機からの着信時と発信側の電話機からの着信履歴の表示時とで異なる方法で前記抽出を行う
ことを特徴とする請求項１〜７のいずれか１項に記載の情報処理装置。
【請求項９】
前記検索要求部による前記検索の要求を指示するための指示画像を表示させる表示制御部であって、条件に応じて当該指示画像の表示の有無を切り替える表示制御部を備える
ことを特徴とする請求項１〜８のいずれか１項に記載の情報処理装置。
【請求項１０】
コンピュータを、
発信側の電話機の電話番号が着信側の電話機に対応する電話帳に登録されていない場合に、当該電話番号に基づいた検索を要求する検索要求部と、
前記検索要求部による要求に応じた検索結果を示す情報群から、優先度に基づいて情報を抽出する抽出部と、
前記抽出部により抽出された情報を前記着信側の電話機のユーザに通知する通知部と
して機能させるためのプログラム。
【発明の詳細な説明】
【技術分野】
【０００１】
本発明は、発信者に関する情報を着信者に通知するための技術に関する。
【背景技術】
【０００２】
一般に電話機には、発信側の電話機の電話番号（発信者番号）を着信側の電話機に通知する発信者番号通知機能が備わっている。着信側の電話機は、通知されてきた発信者番号をディスプレイに表示し、さらにその発信者番号が着信側の電話機の電話帳機能に登録されている場合には、発信者の氏名や名称等の発信者情報を併せて表示する。着信側のユーザはこれらを参照することで、発信者が誰であるかを着信に応答する前に認識することができる。
【０００３】
上記のような発信者情報を併せて表示するためには、電話帳機能に対する事前登録が必要である。よって、例えばはじめて発信してきた発信者や電話帳機能に対する事前登録がされていない発信者については、発信者情報を表示することができない。
【０００４】
そこで、特許文献１には、着信時に発信者番号でインターネット検索を行い、その検索結果を着信側の電話機に表示する仕組みが提案されている。
【先行技術文献】
【特許文献】
【０００５】
【特許文献１】特開２０１７−２０８５９４号公報
【発明の開示】
【発明が解決しようとする課題】
【０００６】
しかしながら、特に近年のＩＴ技術の普及に伴い、発信者番号でインターネット検索を行った結果は膨大な量となるとともに、その内容も多種多様なものとなるから、着信側のユーザにとっては不要な情報が多く含まれる可能性がある。
【０００７】
本発明は、このような背景に鑑みてなされたものであり、その目的は、発信者に関する情報を優先するものから着信者に通知することにある。
【課題を解決するための手段】
【０００８】
上記課題を達成するために、本発明は、発信側の電話機の電話番号が着信側の電話機に対応する電話帳データベースに登録されていない場合に、当該電話番号に基づいた検索を要求する検索要求部と、前記検索要求部による要求に応じた検索結果を示す情報群から、優先度に基づいて情報を抽出する抽出部と、前記抽出部により抽出された情報を前記着信側の電話機のユーザに通知する通知部とを備える情報処理装置を提供する。
【０００９】
前記優先度は、前記情報の属性に基づいて決められていてもよい。
【００１０】
前記優先度は、前記情報がヘッダデータ又はメタデータであることに基づいて決められていてもよい。
【００１１】
前記優先度は、前記情報の出現頻度に基づいて決められていてもよい。
【００１２】
前記情報群のうち、特定の情報については前記出現頻度に関わらずに優先度が決められていてもよい。
【００１３】
前記優先度は、前記情報に対する修飾に基づいて決められていてもよい。
【００１４】
前記優先度は、前記情報の出現位置に基づいて決められていてもよい。
【００１５】
前記検索要求部は、発信側の電話機からの着信時及び発信側の電話機からの着信履歴の表示時において、前記検索を要求し、前記抽出部は、発信側の電話機からの着信時と発信側の電話機からの着信履歴の表示時とで異なる方法で前記抽出を行ってもよい。
【００１６】
前記検索要求部による前記検索の要求を指示するための指示画像を表示させる表示制御部であって、条件に応じて当該指示画像の表示の有無を切り替える表示制御部を備えてもよい。
【００１７】
また、本発明は、コンピュータを、発信側の電話機の電話番号が着信側の電話機に対応する電話帳に登録されていない場合に、当該電話番号に基づいた検索を要求する検索要求部と、前記検索要求部による要求に応じた検索結果を示す情報群から、優先度に基づいて情報を抽出する抽出部と、前記抽出部により抽出された情報を前記着信側の電話機のユーザに通知する通知部として機能させるためのプログラムを提供する。
【発明の効果】
【００１８】
本発明によれば、発信者に関する情報を優先するものから着信者に通知することができる。
【図面の簡単な説明】
【００１９】
【図１】通話システムの全体構成を示す図
【図２】携帯電話機のハードウェア構成を示すブロック図
【図３】サーバ装置のハードウェア構成を示すブロック図
【図４】サーバ装置が実現する機能を示す機能ブロック図
【図５】通話システムにおける処理手順を示すフローチャート
【図６】携帯電話機の表示例を示す図
【図７】携帯電話機の表示例を示す図
【発明を実施するための最良の形態】
【００２０】
次に、本発明を実施するための最良の形態について説明する。
［構成］
図１は、本発明の実施形態に係る通話システムの全体構成を示すブロック図である。図１において、携帯電話網１００は、例えばＬＴＥ（Long Term Evolution）方式のネットワーク設備であり、図示せぬ複数の基地局や交換局を備えている。各基地局は、一般に“セル”と呼ばれる無線通信エリアを形成している。これらの無線通信エリアに在圏する携帯電話機１０-1〜１０-nは、各基地局によって割り当てられた無線チャネルを介して各基地局と通信可能に接続される。固定電話網３００は例えばＰＳＴＮ（Public Switched Telephone Network）と呼ばれるネットワーク設備である。この固定電話網３００には複数の固定電話機２０-1〜２０-nが接続されている。携帯電話網１００にはサーバ装置２００が接続されている。サーバ装置２００はインターネット４００に接続されている。
【００２１】
携帯電話機１０-1〜１０-nや固定電話機２０-1〜２０-nには、それぞれの電話機を呼び出すための電話番号が割り当てられている。携帯電話網１００と固定電話網３００とは図示せぬＰＯＩ（Point of Interface：相互接続点）を介して接続されている。よって、携帯電話機１０-1〜１０-nと固定電話機２０-1〜２０-nとの間では、これら携帯電話網１００及び固定電話網３００を介して１対１の呼が接続され、携帯電話機１０-1〜１０-nのユーザと固定電話機２０-1〜２０-nのユーザとの間で通話がなされる。また、携帯電話機１０-1〜１０-nのユーザ同士の間や、固定電話機２０-1〜２０-nのユーザ同士の間においても、１対１の通話が可能である。なお、以下の説明においては、複数の携帯電話機１０-1〜１０-nをそれぞれ区別する必要のない時は、“携帯電話機１０”と総称する。さらに固定電話機２０-1〜２０-nについても同様に“固定電話機２０”と総称する。
【００２２】
次に、図２は、携帯電話機１０の構成を示すブロック図である。図２に示すように、携帯電話機１０は、制御部１１と、無線通信部１２と、音声処理部１３と、表示部１４と、操作部１５と、記憶部１６とを備えた情報処理装置である。制御部１１は例えばＣＰＵであり、携帯電話機１０の各部を制御する。無線通信部１２は、アンテナや無線通信回路を備えている。この無線通信部１２は、携帯電話網１００の基地局から無線チャネルを介して送信されてくる無線信号をアンテナによって受信すると、周波数変換やＡ／Ｄ変換を経て復調し、さらに誤り訂正復号などの処理を行う。誤り訂正復号された音声データは、音声処理部１３に供給され、Ｄ／Ａ変換及び増幅が施された後に、スピーカから音声として放音される。また、無線通信部１２によって誤り訂正復号された制御データは制御部１１に供給される。ユーザの送話音声は、マイクロホンにより集音されて送話信号に変換され、増幅及びＡ／Ｄ変換を経てデジタルデータに変換される。そしてエコーキャンセラや誤り訂正符号化が施され、さらに変調及び周波数変換された後に無線通信部１２からアンテナを介して基地局へ向けて無線信号として送信される。
【００２３】
表示部１４は、液晶ディスプレイや液晶駆動回路を備えており、制御部１１からの指示に応じて各種の情報やユーザに対する対話画面を表示する。操作部１５は、「０」から「９」までのテンキーのほか、オンフックキーやオフフックキーなどの各種のキーを備えており、ユーザによる操作に応じた信号を制御部１１に供給する。操作部１５は、表示部１４に重ねて設けられたタッチスクリーンであってもよい。
【００２４】
記憶部１６は、例えばＥＥＰＲＯＭ（Electrically Erasable and Programmable Read Only Memory）やフラッシュメモリ或いはハードディスクであり、制御部１１が実行する処理の手順が記述されたコンピュータプログラムや、その処理に必要なデータが記憶されている。この記憶部１６には、各々の電話機（携帯電話機１０-1〜１０-n及び固定電話機２０-1〜２０-n）の使用者を識別するための識別名称（例えば氏名や組織名など）と、携帯電話機１０-1〜１０-n及び固定電話機２０-1〜２０-nの各々に割り当てられた電話番号とを対応付け、これらをリスト形式で記憶するための領域が設けられている。このようなリスト形式の記憶機能は一般に“電話帳”或いは“アドレス帳”と呼ばれているため、本実施形態では上記の記憶領域を「電話帳データベース」という。
【００２５】
次に、図３は、サーバ装置２００の構成を示すブロック図である。図３に示すように、サーバ装置２００は、制御部２１と、通信部２２と、記憶部２３とを備えた情報処理装置である。制御部２１は、ＣＰＵ等の演算装置と、ＲＯＭ及びＲＡＭなどの記憶装置とを備えている。ＣＰＵは、ＲＡＭをワークエリアとして用いてＲＯＭや記憶部２３に記憶されたプログラムを実行することによって、サーバ装置２００の各部の動作を制御する。通信部２２はインターネット４００及び携帯電話網１００に接続されており、通信処理を行う。記憶部２３は、例えばハードディスク等の記憶装置であり、制御部２１が用いるデータ群やプログラム群を記憶している。
【００２６】
図４は、サーバ装置２００の機能構成を示す図である。これらの機能はＣＰＵがＲＡＭをワークエリアとして用いてＲＯＭや記憶部２３に記憶されたプログラムを実行することによって実現される。検索要求部２０１は、発信側の電話機の電話番号が着信側の電話機に対応する電話帳データベースに登録されていない場合に、その電話番号を指定して当該電話番号に基づいた検索を検索部２０２に要求する。検索部２０２は、検索要求部２０１により指定された電話番号をキーワードにしてインターネット４００において検索を行う。抽出部２０３は、検索要求部２０１による要求に応じて検索部２０２により検索された結果を示す情報群から、或る優先度に基づいて、ユーザに通知する対象となる情報を抽出する。通知部２０４は、抽出部２０３により抽出された情報を着信側の電話機のユーザに通知する。
【００２７】
ここで、優先度とは、次のようなルールに従って決められている。優先度は、検索された情報の属性に基づいて決められている。ここでいう属性とは、例えば、検索の結果取得された情報がＪＳＯＮ (Java Script Object Notation)と呼ばれるデータ交換フォーマットで表現されている場合、その情報が、ＪＳＯＮフォーマットのヘッダデータ又はメタデータに含まれるか、或いは、ボディデータに含まれるか等のように、データフォーマットに関する属性である。例えばヘッダデータ又はメタデータに含まれる情報は、ボディデータに含まれる情報よりも優先度が高い。また、優先度は、情報の出現頻度に基づいて決められている。例えば、上記電話番号を含むＷＥＢページにおいて同じ情報が複数回出現している場合に、その出現頻度が多いほど優先度が高い。ただし、特定の情報については出現頻度に関わらずに優先度が決められていてもよい。例えば「地図」とか「電話番号」というような、ＷＥＢページにおいて企業や店舗が案内される場合等に頻出する単語であって、且つ他のＷＥＢページと比較したときに固有の意味を持たない情報は、優先度が最も低い。また特に重要な情報があらかじめ分かっていれば、その優先度を高くしてもよい。これらの優先度に関するルールが抽出部２０３により記憶されており、抽出部２０３は、この優先度に従い、検索部２０２により検索された結果を示す情報群から情報を抽出する。
【００２８】
［動作］
次に、図５に示すフローチャートを参照しながら動作説明を行う。まず、携帯電話機１０において、発信側の或る電話機（他の携帯電話機１０又は固定電話機２０のいずれか）からの着信があったとする（ステップＳ１１）。携帯電話機１０の制御部１１は、この着信についていわゆる発信者番号通知機能により、発信側の電話機の電話番号を取得できたか否かを判断する（ステップＳ１２）。ここで、発信側の電話機の電話番号（以下、発信者番号という）を取得できた場合には（ステップＳ１２；ＹＥＳ）、制御部１１は、取得した発信者番号をキーにして記憶部１６内の電話帳データベースを検索する（ステップＳ１３）。
【００２９】
取得した発信者番号が電話帳データベースに登録されていなければ（ステップＳ１４；ＮＯ）、制御部１１は、表示部１４に検索ボタンを表示する（ステップＳ１５）。ここで、検索ボタンとは、図６（ａ）に示すソフトボタンＳ１のように、発信者番号Ｓ２が着信側の電話機に対応する電話帳データベースに登録されていない場合に、その発信者番号Ｓ２を指定して当該発信者番号に基づいた検索を行うことを着信側のユーザが指示するための指示画像である。この検索ボタンに相当するソフトボタンＳ１がユーザにより選択されると（ステップＳ１６；ＹＥＳ）、制御部１１は、無線通信部１２から上記発信者番号をサーバ装置２００に送信する（ステップＳ１７）。
【００３０】
サーバ装置２００において、検索要求部２０１は、発信者番号を受信すると、この発信者番号は着信側の電話機に対応する電話帳データベースに登録されていないと判断して、その発信者番号を指定して当該発信者番号に基づいた検索を検索部２０２に要求する（ステップＳ１８）。検索部２０２は、検索要求部２０１により指定された発信者番号をキーワードにしてインターネット４００において検索を行う。これにより、上記発信者番号を含む情報群であるＷＥＢページ群が検索される。抽出部２０３は、検索部２０２により検索された結果を示す情報群を取得する（ステップＳ１９）。抽出部２０３は、検索された結果を示す情報群から、上述した優先度に基づいて情報を抽出する（ステップＳ２０）。その抽出処理の一例を説明すると、以下のとおりである。
【００３１】
抽出部２０３は、上記発信者番号を含む情報群であるＷＥＢページ群を例えばＪＳＯＮ 形式で取得する。そして、抽出部２０３は、各ＷＥＢページ含まれているテキストデータや画像データ等の情報の各々について、ＪＳＯＮ 形式のヘッダデータ又はメタデータに含まれているものについては高い優先度で評価し、ＪＳＯＮ 形式のボディデータに含まれるものについては低い優先度で評価する。例えば優先度１０が最高で優先度０が最低の値とした場合、抽出部２０３は、ヘッダデータ又はメタデータに含まれている情報については最も高い優先度１０で評価し、ボディデータに含まれるものについては優先度５で評価する。また、抽出部２０３は、各ＷＥＢページ含まれているテキストデータや画像データ等の情報の各々について、そのＷＥＢページおける出現頻度をカウントし、出現頻度が多いものについては高い優先度で評価し、出現頻度が低いものについては低い優先度で評価する。例えば優先度１０が最高で優先度０が最低の場合、抽出部２０３は、或る閾値以上の出現頻度（例えば出現数が３回）の情報については優先度７で評価し、上記閾値未満の出現頻度の情報については優先度２で評価する。なお、この場合、前述したように特定の情報については出現頻度に関わらずに優先度が決められていてもよい。例えば「地図」とか「電話番号」というような、ＷＥＢページにおいて企業や店舗が案内される場合等に頻出する単語であって、且つ他のＷＥＢページと比較したときに固有の意味を持たない情報は、優先度をゼロとする。また特に重要な情報（例えば「株式会社」というテキストデータの前後に配置されたテキストデータ等）があらかじめ分かっていれば、そのような配置形式の情報の優先度を高くしてもよい。抽出部２０３は、各情報について評価した優先度をカウントし、その優先度が高いものから所定数の情報を抽出する。
【００３２】
通知部２０４は、抽出部２０３により抽出された情報を着信側の電話機のユーザに通知する（ステップＳ２１）。つまり、通知部２０４は、抽出部２０３により抽出された情報を着信側の携帯電話機１０に送信する。なお、発信側の電話機の電話番号を取得できない場合（ステップＳ１２；ＮＯ）、取得した発信者番号が電話帳データベースに登録されている場合（ステップＳ１４；ＹＥＳ）、検索ボタンに相当するソフトボタンＳ１がユーザにより選択されない場合（ステップＳ１６；ＮＯ）には、従来と同じような通常処理を行う（ステップＳ２３）。つまり、発信側の電話機の電話番号を取得できない場合には（ステップＳ１２；ＮＯ）、ユーザの着信応答操作があるまで待機するし、取得した発信者番号が電話帳データベースに登録されている場合には（ステップＳ１４；ＹＥＳ）、その発信者に関する登録情報を表示するし、検索ボタンに相当するソフトボタンＳ１がユーザにより選択されない場合（ステップＳ１６；ＮＯ）にはユーザの着信応答操作があるまで待機する。
【００３３】
携帯電話機１０の制御部１１は、サーバ装置２００から受信した情報を表示する（ステップＳ２２）。これにより、例えば図６（ｂ）に示すように、発信者番号Ｓ２をキーワードにして検索された情報群から抽出された情報Ｓ３が表示される。この情報は優先度によって抽出されているので、発信者に関する情報を着信者に対してより分かりやすく通知することが可能となる。
【００３４】
［変形例］
本発明は上述した実施形態に限定されず、次のような変形が可能である。
［変形例１］
携帯電話機１０は、上記実施形態においてサーバ装置２００が行っていた処理の少なくとも一部を行ってもよい。つまり、携帯電話機１０は、発信側の電話機の電話番号が着信側の電話機に対応する電話帳データベースに登録されていない場合に、当該電話番号に基づいた検索を要求する検索要求部と、検索要求部による要求に応じた検索結果を示す情報群から、優先度に基づいて情報を抽出する抽出部と、抽出部により抽出された情報を着信側の電話機のユーザに通知する通知部とを備える情報処理装置として機能してもよい。この場合、サーバ装置２００は、携帯電話機１０の検索要求部の要求に応じて検索を行い、その検索結果を携帯電話機１０に送信する。
【００３５】
［変形例２］
優先度は、検索された情報に対する修飾の有無や種類に基づいて決められていてもよい。ここで、情報に対する修飾とは、例えば情報を示すテキストデータの色や太さ又は大きさ、線種、アンダーラインの有無、斜字等であったり、情報を示す画像データの大きさである。このような修飾がされた情報は、修飾されていない情報よりも、優先度が高いと評価される。
【００３６】
［変形例３］
優先度は、情報の出現位置に基づいて決められていてもよい。例えばＷＥＢページにおいて情報の出現場所がそのＷＥＢページを示すデータの先頭に近い場合は、それ以外のデータよりも優先度が高いと評価される。また、その逆に、ＷＥＢページにおいて情報の出現場所がそのＷＥＢページを示すデータの後ろに近い場合は、それ以外のデータよりも優先度が高いと評価されてもよい。
【００３７】
［変形例４］
実施形態で説明したような着信時に限らず、着信履歴を表示するときに発信者番号に基づく情報の検索及び抽出を行ってもよい。この場合、携帯電話機１０の記憶部１６には、携帯電話網１００から受信（着信）した呼設定信号に含まれている電話番号（発信者番号）をその着信日時と対応付け、これらを着信履歴として記憶するための着信履歴データベースが設けられている。ここで、図７（ａ）に示すソフトボタンＳ４１〜Ｓ４３は、携帯電話機１０において着信履歴を表示しているときに、その着信履歴に含まれる発信者番号を指定して当該番号に基づいた検索を行うことを着信側のユーザが指示するための指示画像である。いずれかのソフトボタン（発信者番号「０３−５１５６−××××」に対応するソフトボタンＳ４３とする）がユーザにより選択されると、制御部１１は、無線通信部１２から、選択されたソフトボタンに対応する発信者番号をサーバ装置２００に送信する。検索部２０２は、検索要求部２０１により指定された発信者番号をキーワードにしてインターネット４００において検索を行う。抽出部２０３は、検索部２０２により検索された結果を示す情報群を取得する。抽出部２０３は、検索された結果を示す情報群から、前述したような優先度に基づいて情報を抽出する。通知部２０４は、抽出部２０３により抽出された情報を着信側の電話機のユーザに通知する。携帯電話機１０の制御部１１は図７（ｂ）に示すようにして、抽出された情報Ｓ５を表示する。
【００３８】
この場合、サーバ装置２００において、抽出部２０３は、発信側の電話機からの着信時と、発信側の電話機からの着信履歴の表示時とで異なる方法に従って抽出を行ってもよい。抽出部２０３は、例えば発信側の電話機からの着信時と発信側の電話機からの着信履歴の表示時とで、抽出する情報の量または種類を変える。例えば着信時における抽出ではテキストデータのみを抽出し、着信履歴表示時の抽出ではテキストデータに加え、画像データも含めて抽出する。このように、発信側の電話機からの着信時において、発信側の電話機からの着信履歴の表示時に比べて、抽出する情報の量を少なくすれば、着信時において情報の表示を迅速に行える。
【００３９】
［変形例５］
検索要求部２０１による検索の要求を指示するための指示画像を表示させる表示制御部であって、条件に応じて当該指示画像の表示の有無を切り替える表示制御部を備えてもよい。例えば、表示制御部は、同一の発信側の電話機の電話番号からの着信時に指示画像を表示したが当該指示画像を用いた検索がユーザによって指示されなかった回数が閾値を超えた場合は、それ以降、上記電話番号について当該指示画像を表示しないようにしてもよい。また、例えば、表示制御部は、同一の発信側の電話機の電話番号からの着信回数が閾値を超えた場合は、それ以降、上記電話番号について当該指示画像を表示しないようにしてもよい。
【００４０】
［その他の変形例］
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４１】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを使用するシステム及び／又はこれらに基づいて拡張された次世代システムに適用されてもよい。
【００４２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００４３】
本明細書で使用する「システム」および「ネットワーク」という用語は、互換的に使用される。
【００４４】
本明細書で使用する「判断(determining)」、「決定(determining)」という用語は、多種多様な動作を包含する場合がある。「判断」、「決定」は、例えば、判定（judging）、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００４５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。また、「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。また、本開示の全体において、例えば、英語でのa, an, 及びtheのように、翻訳により冠詞が追加された場合、これらの冠詞は、文脈から明らかにそうではないことが示されていなければ、複数のものを含むものとする。
【００４６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００４７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００４８】
本発明に係る情報処理装置は、実施形態で説明したようにそれぞれの機能の全てを一体に備えた装置によっても実現可能であるし、それぞれの装置の機能を、さらに複数の装置に分散して実装したシステムであってもよい。
【００４９】
本発明は、情報処理装置が行う情報処理方法、或いは、情報処理装置としてコンピュータを機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして使用可能にするなどの形態で提供されたりすることが可能である。
【符号の説明】
【００５０】
１０-1〜１０-n・・・携帯電話機、１１・・・制御部、１２・・・無線通信部、１３・・・音声処理部、１４・・・表示部、１５・・・操作部、１６・・・記憶部、２０-1〜２０-n・・・固定電話機、２１・・・制御部、２２・・・通信部、２３・・・記憶部、１００・・・携帯電話網、２００・・サーバ装置、２０１・・・検索要求部、２０２・・・検索部、２０３・・抽出部、２０４・・・通知部、３００・・・固定電話網、４００・・・インターネット。
【図１】
2020017907.tif 000003
【図２】
2020017907.tif 000004
【図３】
2020017907.tif 000005
【図４】
2020017907.tif 000006
【図５】
2020017907.tif 000007
【図６】
2020017907.tif 000008
【図７】
2020017907.tif 000009